(57)【要約】      （修正有）【課題】冷凍食品の解凍により生じる液体を容器内に確実に捕集できる冷凍食品の解凍用支持用具を提供する。【解決手段】支持用具は、積層体２の上面に配置される冷凍食品の解凍により生じる液体を通過させるスルーホール２ａを有する積層体２と、支持用具１の下面に配置され、スルーホール２ａを通り抜ける液体の捕集用の容器に支持用具１を着脱可能に固定するための固定形状部とからなる。積層体２は、異なる形態の容器に適合可能なように弾性変形により拡張可能な材料から構成されている。【選択図】図１
0003167265.tif 000002
【実用新案登録請求の範囲】
【請求項１】
冷凍食品の解凍用支持用具であって、
(i)積層体（２）の上面（Ｃｓ）に配置される冷凍食品（Ａ）の解凍により生じる液体を通過させるためのスルーホール（２ａ）を有する積層体（２）と、
(ii)支持用具（１）の下部に配置され前記スルーホール（２ａ）を通り抜ける前記液体を捕集するための容器（４）に支持用具（１）を着脱可能に固定するための固定形状部とからなり、
前記支持用具を構成する少なくとも前記積層体（２）は異なる形態の容器に適合可能なように弾性変形により拡張可能な材料から構成されている、
ことを特徴とする冷凍食品の解凍用支持用具。  
【請求項２】
前記スルーホール（２ａ）は積層体（２）の中央部分（２ｃ）に分布されており、
積層体（２）の２個の外辺部（２ｐ１，２ｐ２）に配置された少なくとも２個の前記固定形状部からなる、
ことを特徴とする請求項１に記載の支持用具。
【請求項３】
前記スルーホール（２ａ）は弾性変形による拡張能力を有するメッシュ構造を提供するように形成されている、
ことを特徴とする請求項２に記載の支持用具。
【請求項４】
前記メッシュ構造の前記スルーホール（２ａ）は細長いホールの隣接列を形成する群を為している、
ことを特徴とする請求項３に記載の支持用具。
【請求項５】
前記細長いホール（２ａ）はホールの端部よりも狭い中間部を有する、
ことを特徴とする請求項４に記載の支持用具。
【請求項６】
或る列と同じ列の２個のホール（２ａ）を分離する間隙部分（５）が隣接列のホール（２ａ）の中間部分に配置されるように前記隣接列が配列されている、
ことを特徴とする請求項４又は５に記載の支持用具。
【請求項７】
前記メッシュ構造は、積層体（２）が拡張されないときは解凍すべき食品（Ａ）が接触する平坦面を提供し、積層体（２）が拡張されるときは波形面を提供するように形成されている、
ことを特徴とする請求項３〜６の何れかに記載の支持用具。
【請求項８】
前記少なくとも２個の固定形状部も弾性材料から形成されており、かつ、前記積層体（２）と一体化されている、
ことを特徴とする請求項２〜７の何れかに記載の支持用具。
【請求項９】
前記少なくとも２個の固定形状部の各々が積層部分（Ｌ１，Ｌ２）からなり、該積層部分（Ｌ１），Ｌ２）は、使用位置においてその下部の積層体（２）の各外辺部 （２ｐ１，２ｐ２）から前記中心部（２ｃ）の中央部に向かって延び、積層部分（Ｌ１，Ｌ２）とその直上に配置された積層体（２）の一部分との間で、前記容器（４）の構造部分を閉じ込めるためのフランジを形成する、
ことを特徴とする請求項２〜８の何れかに記載の支持用具。
【請求項１０】
前記固定形状部は前記容器（４）の開口の輪郭部に固定されるように形成されている、
ことを特徴とする請求項１〜９の何れかに記載の支持用具。
【請求項１１】
積層体（２）の上面（Ｃｓ）の少なくとも一部から延び、前記外辺部（２ｐ１，２ｐ２）に隣接する突起部（６ａ，６ｂ）からなる、
ことを特徴とする請求項１〜１０の何れかに記載の支持用具。
【請求項１２】
前記突起部（６ａ，６ｂ）が、積層体（２）又はそれらに結合される別の積層要素の膨出部により形成され、かつ、前記フラップ（Ｌ１，Ｌ２）に面して下方に開口している、
ことを特徴とする請求項１１に記載の支持用具。
【請求項１３】
前記突起部（６ａ，６ｂ）はユーザ用の掴み片を提供する、
ことを特徴とする請求項１１又は１２に記載の支持用具。
【請求項１４】
楕円形のレイアウトを有する、
ことを特徴とする請求項１〜１３の何れかに記載の支持用具。
【請求項１５】
積層体（２）の前記外辺部（２ｐ１，２ｐ２）は、長手方向中心軸に対して、楕円形積層体（２）の輪郭の両側に配置されている、
ことを特徴とする請求項１４に記載の支持用具。
【請求項１６】
積層体（２）が形成される前記材料は高温及び低温に対して耐性を有する弾性材料である、
ことを特徴とする請求項１〜１５の何れかに記載の支持用具。
【請求項１７】
前記弾性材料は白金触媒により生成されたシリコンである、
ことを特徴とする請求項１６に記載の支持用具。
【考案の詳細な説明】
【技術分野】
【０００１】
本考案は、支持用具上に配置された冷凍食品の解凍により生じる液体を容器内に確実に捕集するように構成された、冷凍食品の解凍用支持用具に関する。更に詳細には、本考案は異なるサイズの容器に対しても適合可能なように弾性変形による拡張機能を有する冷凍食品の解凍用支持用具に関する。
【背景技術】
【０００２】
トレイ又はプレートのような容器内に直接配置された冷凍食品を室温で自然に解凍させても、或いは、オーブン中に入れて熱を加えて強制的に解凍させても、解凍処理中に冷凍食品から生じた液体を容器内から取り除かれない限り、食品は液体と接触し続け、食品の品質が劣化される。なぜなら、食品は解凍処理中、液体に浸漬され続けるか又は前記の強制的解凍の場合には、食品を適時にオーブンから取り出さなければ、食品の一部が熱により調理されてしまうからである。
【０００３】
前記のような問題を解決するため、容器に対して上昇された位置に食品を維持する支持具に関する提案がなされている。この支持具により、食品は前記の液体に決して接触せず、しかも、支持具中に配設された貫通穴を通して前記液体を支持具下部に落としてしまうことができる。
【０００４】
このような提案の一つは、汁落ち穴付き耐熱解凍台として特許文献１に開示されている。特許文献１には様々なバリエーションの汁落ち穴付き耐熱解凍台が開示されているが、これら全てに共通していることは、例えば、解凍処理により生じる液体を捕集するための捕集用トレイの或る高さまで食品を上昇させる凸部足３を有することである。例えば、特許文献１の図２に示される事例のように、マイクロ波のトレイ４の内側に凸部足３を支持するか、又は、図９〜１２に示され、参照符号１０で示される容器を使用する事例のように、液体捕集用に特別に設計された容器と一体化して使用する。
【０００５】
特許文献１には、解凍台がセラミック製であることは記載されているが、請求項には、解凍台が耐熱性であること以外、解凍台の製造材料に関する限定的記載は含まれていない。
【０００６】
別の提案として、特許文献２には汁受け皿付き解凍用プラスチック網が開示されている。解凍により生じる液体を捕集するための捕集トレイに脱着可能に取付られる解凍用の樹脂メッシュを有する。メッシュは支持脚を有し、この支持脚は捕集トレイに結合される。捕集トレイも樹脂製である。前記の問題点を解決するうえ、更に別の効果も発揮する。例えば、この特許文献２に記載されたメッシュとトレイとの組立体は、解凍がオーブン中で行われる場合、オーブントレイ又は台所用品を汚さない。
【０００７】
しかし、特許文献２に開示された樹脂トレイ又は特許文献１に開示された容器１０ような特別に設計されたものにしか食品の支持具を取り付けることはできず、異なるサイズの容器には前記のような食品の支持具を取り付けることはできない。このような異なるサイズの容器に前記のような食品の支持具を取り付けることに関して前記特許文献には何の教示も為されていない。
【０００８】
前記先行技術文献に開示された考案の別の問題点は、開示された支持具が硬質なことである。そのため、例えば、これらの支持具を折り曲げたり、狭いスペースに保管したりすることができない。
【先行技術文献】
【特許文献】
【０００９】
【特許文献１】特開２００１−１１２４５４号公報
【特許文献２】特開昭６１−１１１６７６号公報
【考案の概要】
【考案が解決しようとする課題】
【００１０】
従って、本考案の目的は、前記先行技術文献に開示された支持具に関連する全ての問題点を解決する新規な冷凍食品の解凍用支持用具を提供することである。
【課題を解決するための手段】
【００１１】
前記課題を解決する本考案の冷凍食品の解凍用支持用具は、積層体の上面に配置される冷凍食品の解凍により生じる液体を通過させるためのスルーホールを有する積層体と、スルーホールを通り抜ける液体の捕集用の積層体下部に配置される容器に支持用具を着脱可能に固定するための固定形状部とからなる。支持用具の残りの部分は前記容器の少なくとも一つの中央部分に対して浮揚されている。
【００１２】
従来の支持具と異なり、本考案の支持用具では、少なくとも前記積層体が、異なる形態（例えば、異なるサイズ、異なる形状又は異なるタイプ）の容器に適合可能なように、弾性変形により拡張可能な材料から構成されている。
【００１３】
前記の着脱可能な固定は、本考案の支持用具により、容器の異なる部分（一般的に、構造部分、例えば、ソースパンのハンドル部分）に対して行うことができる。しかし、一般的に、固定形状部は容器（例えば、広範な異なる形態の容器のうちでもプレートなど）の開口部の輪郭部に固定されるように形成される。
【００１４】
換言すれば、積層体が一層拡張されるか又は殆ど拡張されないかに応じて、積層体を、例えば、異なるサイズのプレートに対するように、大きな直径又は小さな直径の開口部に固定させることができる。
【００１５】
前記弾性材料からなる支持用具の一部、好ましくは全ての構造の結果として、この支持用具は折り曲げ可能であり、かつ、小さなスペースに収納可能である。
【００１６】
一般的に、積層体形成材料及び固定形状部形成材料は高温及び低温に対して耐性を有する弾性材料である。
【００１７】
好ましい実施態様として、積層体が形成される弾性材料及び好ましくは支持用具の残りの部分の弾性材料は白金触媒により生成されたシリコンである。
【００１８】
白金触媒により生成されたシリコンは台所用として非常に好適である。なぜなら、このようなシリコンは芳香を保持せず、熱を均等に伝え、高温及び低温の両方に対して耐性を有し、簡単に洗浄することができ、再使用可能で長持ちするからである。
【図面の簡単な説明】
【００１９】
【図１】本考案の支持用具の上面斜視図である。
【図２】図１に示された本考案の支持用具の下面斜視図である。
【図３ａ】図１及び図２に示された本考案の支持用具の平面図である。
【図３ｂ】図１及び図２に示された本考案の支持用具の側面図である。
【図３ｃ】図１及び図２に示された本考案の支持用具の底面図である。
【図３ｄ】図１及び図２に示された本考案の支持用具の正面図である。
【図４】プレート上に固定され、解凍すべき食品を支持した使用状態を示す本考案の支持用具の斜視図である。
【考案を実施するための形態】
【００２０】
以下図面を参照しながら本考案の冷凍食品の解凍用支持用具について詳細に説明する。
【００２１】
図示されているように、本考案の冷凍食品の解凍用支持用具（以下「支持用具」という）１は、中央領域２ｃに分布されたスルーホール２ａを有する積層体２からなる。本考案の支持用具１は、異なる容器の開口部のサイズに適合するように、又は、異なる形態の容器に総体的に適合するようにするために、図１〜図３ｄに示されるような非拡張位置と、最大拡張位置との間で異なるサイズに適合させるために弾性変形による拡張能力を有するメッシュ構造を提供するように形成されている。
【００２２】
図示された実施態様では、支持用具１は、特に図３ａ及び３ｃに示されるように、楕円形のレイアウトを有する。
【００２３】
図１、図２、図３ａ〜図３ｄに示されるように、メッシュ構造のスルーホール２ａは細長いホールの隣接列を形成する群を為している。細長いホールの各々は、ホールの端部よりも狭い中間部を有する。
【００２４】
特に図３ａ及び図３ｃに示されるように、スルーホール２ａの隣接列は、或る列と同じ列の２個のスルーホール２ａを分離する間隙部分５が隣接列のスルーホール２ａの中間部分に隣接して配置されるように配列されている。
【００２５】
メッシュ構造のこの特殊な構成は、積層体２が拡張されていない時（例えば、図１〜図３ｄに示されるような状態の時）、解凍されるべき食品Ａに接触するための平坦面を提供し、かつ、図４に示されるような、使用時に積層体２が拡張された時に、波形面を提供する。
【００２６】
波形面により提供される食品Ａの接触面は、平坦面により提供される接触面よりも明らかに小さい。従って、支持用具１が拡張状態にあるとき、食品Ａの下面の大部分は空気と接触する。それにより、非拡張状態のときの支持用具１上に配置されたときと比較して、解凍により生じる液体の量は少なく、これらの液体は食品Ａの下面と支持用具１の積層体２の上面Ｃｓ（図３ｂ及び３ｄ参照）との間に捕捉することができる。
【００２７】
スルーホール２ａを取り囲む積層体２の材料の残りの部分に波形をもたらす傾きの結果として、このような波形は、液体の一部分が前記傾き部分を介してプレート４の底部に流れることも助長する。
【００２８】
図示された実施態様では、固定形状部は弾性材料により構成されており、かつ、積層体２と一体化されている。図２、図３ｃ及び図３ｄに示されるように、固定形状部は積層体２の２つの各外辺部２ｐ１，２ｐ２内に配置されている。固定形状部は積層部分Ｌ１，Ｌ２からなる。また積層部分Ｌ１，Ｌ２は、使用位置においてその下部の積層体２の各外辺部 ２ｐ１，２ｐ２から前記中心部２ｃの中央部に向かって延び、フラップＬ１，Ｌ２を形成し、積層部分Ｌ１，Ｌ２とその直上に配置された積層体２の一部分との間で、前記容器４の構造部分を閉じ込める。
【００２９】
図１、図２、図３ａ及び図３ｃに示されるように、積層体２の前記外辺部２ｐ１，２ｐ２は、長手方向中心軸に対して、楕円形積層体２の輪郭の両側に配置される。
【００３０】
図２において、フラップＬ１は外方へ折り曲げられて図示されており、図３ｄでは、両方のフラップＬ１，Ｌ２とも外方へ折り曲げられている。これは、対応するハウジングＨ（図２及び図３ｄ参照）を画成するために前記図３ｄにおいて矢線方向にフラップＬ１，Ｌ２をそれらに隣接するように引き下ろすことにより行われる。図４に示されるように、ハウジングＨは容器又はプレート４の輪郭の一部に挿入され、適所に留置される。
【００３１】
前記図４において、支持用具１は拡張状態で図示されている。この拡張状態は、矢線Ｅの方向に、プレート４の直径に適合する突起部６ａ，６ｂ（これはユーザ用の掴み片として使用される）を、支持用具１が脱着可能に固定されるプレート４の開口部の輪郭部にまで引っ張ることにより形成される。支持用具１を脱着可能に固定するのは、前記で説明したように、フラップＬ１，Ｌ２を図３ｄにおける矢線により示される方向に引っ張ることによりフラップＬ１，Ｌ２を弾性変形させたときに画成されるハウジングＨ内にプレート４の輪郭部を挿入することにより達成される。
【００３２】
図１、図３ａ及び図３ｄに示されるように、前記突起部６ａ，６ｂは積層体２の上面Ｃｓから延び、外辺部２ｐ１，２ｐ２に隣接する。前記突起部６ａ，６ｂは積層体２又はそれらに結合される別の積層要素の膨出部により形成される。突起部６ａ及びフラップＬ１の膨出部に関して図２に示されるように、膨出部は、フラップＬ１，Ｌ２に面して下方に開口している。
【００３３】
前記図２において、前記膨出部の下面側に、補強リブ３が結合されている。補強リブ３は突起部６ａに対して高い頑丈性を付与する。図２には図示されていないが、他方の突起部６ｂも、リブ３と同等又は類似の１個以上の補強リブを有する。
【００３４】
以上の説明は、本考案の一実施例に関するもので、この技術分野の当業者であれば、本考案の種々の変形例を考え得るが、それらはいずれも本考案の技術的範囲に包含される。実用新案登録請求の範囲の構成要素の後に記載した括弧内の番号は、図面の部品番号に対応し、考案の容易なる理解の為に付したものであり、考案を限定的に解釈するために用いてはならない。また、同一番号でも明細書と実用新案登録請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００３５】
１  支持用具
２  積層体
３  補強リブ
４  容器
５  間隙部分
２ａ  スルーホール
２ｃ  中央領域
２ｐ１  外辺部
２ｐ２  外辺部
６ａ  突起部
６ｂ  突起部
Ａ  冷凍食品
Ｃｓ  積層体の上面
Ｈ  ハウジング
Ｌ１  フラップ
Ｌ２  フラップ
【図１】
0003167265.tif 000003
【図２】
0003167265.tif 000004
【図３ａ】
0003167265.tif 000005
【図３ｂ】
0003167265.tif 000006
【図３ｃ】
0003167265.tif 000007
【図３ｄ】
0003167265.tif 000008
【図４】
0003167265.tif 000009